(57)【要約】【課題】円筒形状のキャップであっても、キャップを簡単に取り外すことができる構造のノック式シャープペンシルを提供する。【解決手段】軸筒２の後端開口部５ｂより円筒形状のキャップ７を突出し、キャップ７の内側に消しゴム８を備え、キャップ７をノックすることにより、軸筒２が有する鉛芯繰出機構６を操作して、軸筒２の前方に配した筆記先端部６ａより鉛芯を繰り出す構造のノック式シャープペンシル１であって、軸筒２の後端開口部５ｂの周縁となる後端面５ｃに、軸筒２の前方側へ凹ませた二つの谷部５ｄを軸筒２の軸径方向の二箇所に形成し、軸筒２の谷部５ｄからキャップ７の側面７ａを露出させる。【選択図】図４
2011230357.tif 000002
【特許請求の範囲】
【請求項１】
軸筒の後端開口部より円筒形状のキャップを突出し、前記キャップの内側に消しゴムを備え、前記キャップをノックすることにより、軸筒が有する鉛芯繰出機構を操作して、前記軸筒の前方に配した筆記先端部より鉛芯を繰り出す構造のノック式シャープペンシルであって、前記軸筒の後端開口部の周縁となる後端面に、前記軸筒の前方側へ凹ませた二つの谷部を当該軸筒の軸径方向の二箇所に形成し、前記軸筒の谷部から前記キャップの側面を露出させたことを特徴とするノック式シャープペンシル。
【請求項２】
前記ノック式シャープペンシルがダブルノック式であることを特徴とする請求項１に記載のノック式シャープペンシル。
【発明の詳細な説明】
【技術分野】
【０００１】
本発明は、軸筒の後端開口部から突出させたキャップをノックすることにより軸筒内の鉛芯繰出機構を操作して、軸筒前方に配した筆記先端部より鉛芯を繰り出す構造のノック式シャープペンシルに関するものである。
【背景技術】
【０００２】
従来より、シャープペンシルにおいては、鉛芯で筆記した筆跡を消去する消しゴムを軸筒の後端部に設けたものがあり、この消しゴムを被覆したキャップをノックすることにより軸筒内の鉛芯繰出機構を操作して、鉛芯を繰り出す構造のノック式シャープペンシルも広く普及されている。このキャップだが、消しゴムを使用する際に頻繁に着脱が行われ、また軸筒内の芯タンクへ芯を供給する際にも着脱が行われる。このことから、特開２０００−６５７３号公報に記載されているように、キャップ（押圧体）の頂部を傘状に形成し、その大径部でキャップを着脱するときの指を引っ掻け部分としたものがある。尚、キャップの内側となる消しゴムを大きくする場合には、当然にキャップは薄肉の方が適しており、結果的にキャップを金属で形成することが多い。しかしながら、射出成形で複雑な形態で成形できる樹脂製のキャップとは異なり、金属材からなるキャップの頂部を傘状に形成したり、あるいは側面に指を引っ掛かけやすいように凹凸を設けることは容易ではない。したがって、金属製のキャップでは円筒形状で形成されることが多く、円筒形状のキャップであっても取り外しが簡単にできる構造が求められている。
【先行技術文献】
【特許文献】
【０００３】
【特許文献１】特開２０００−６５７３号公報
【発明の概要】
【発明が解決しようとする課題】
【０００４】
本発明は、円筒形状のキャップであっても、キャップを簡単に取り外すことができる構造のノック式シャープペンシルを提供することを目的とする。
【課題を解決するための手段】
【０００５】
本発明は、
「１．軸筒の後端開口部より円筒形状のキャップを突出し、前記キャップの内側に消しゴムを備え、前記キャップをノックすることにより、軸筒が有する鉛芯繰出機構を操作して、前記軸筒の前方に配した筆記先端部より鉛芯を繰り出す構造のノック式シャープペンシルであって、前記軸筒の後端開口部の周縁となる後端面に、前記軸筒の前方側へ凹ませた二つの谷部を当該軸筒の軸径方向の二箇所に形成し、前記軸筒の谷部から前記キャップの側面を露出させたことを特徴とするノック式シャープペンシル。
２．前記ノック式シャープペンシルがダブルノック式であることを特徴とする１項に記載のノック式シャープペンシル。」である。
【０００６】
本発明における軸筒の後端面に形成する谷部は、キャップを指で摘むための大きさに設定することが肝要であり、軸筒の直径にもよるが具体的には巾は７ｍｍ以上で深さは２ｍｍ以上あった方が、指でキャップを摘みやすいものとなる。また二つの谷部の間を軸筒の後方側へ突出する二つの山部で波形状に連続するよう形成すると、滑らかな波状となり見栄えがよいものとなる。
【発明の効果】
【０００７】
本発明では、軸筒の後端面に形成した谷部の存在によってキャップの側面を指で摘みやすいものとなり、キャップの内側にある消しゴムを使用する場合に、簡単にキャップを取り外すことが可能なものとなった。特にダブルノック式シャープペンシルにおいては、筆記時にはキャップをノックして前進させていることから、軸筒の後端から突出したキャップの突出量が短い状態となるが、その様な状態であっても、軸筒の後端面に形成した谷部によって、キャップの側面を指で摘みやすく、キャップの取り外しが容易である。
【図面の簡単な説明】
【０００８】
【図１】図１は本実施例のシャープペンシルの斜視図である。
【図２】図２は図１の断面図である。
【図３】図３は使用状態における斜視図である。
【図４】図４はキャップを外す状態の図である。
【図５】図５はキャップを外した状態の図である。
【発明を実施するための形態】
【０００９】
円筒形状のキャップであっても、キャップを簡単に取り外すことができる構造のノック式シャープペンシルを実現した。
【実施例】
【００１０】
次に図面を参照しながら本実施例の説明を行う。図中の同じ部材、同じ部品については、同じ符号としてある。本実施例ではシャープペンシルとしてダブルノック式シャープペンシルを例にあげて述べるが、本発明は以下の実施例に限定されるものではない。
【００１１】
図１から図３に示すようにシャープペンシル１は、軸筒２を、後部に金輪３を嵌めた前軸４と、後部にクリップ５ａを形成した後軸５とを螺合させ構成している。また軸筒２の内部には、図２に示すように鉛芯（図示せず）を繰り出す鉛芯繰出機構６を配設してあり、鉛芯繰出機構６の後方には後軸５の後端開口部５ｂから突出させた円筒形状のキャップ７を配してあり、キャップ７をノックすることにより、鉛芯繰出機構６の前方の筆記先端部６ａを前軸４の先端開口部４ａから突出させた上で（図３参照）、さらにキャップ７をノックすることにより、筆記先端部６ａから鉛芯（図示せず）を繰り出す構造である。
【００１２】
また、図２に示すように、キャップ７の内側には消しゴム８を収容してあり、キャップ７を取り外すことで消しゴム８を使用できる構造である。本実施例のシャープペンシル１は、後軸５の後端開口部５ｂの周縁となる後端面５ｃに、軸筒２の前方側へ凹ませた二つの谷部５ｄを軸対称に形成してあり、この二つの谷部５ｄを、同じく二つの山部５ｅで連接して滑らかな波状の後端面５ｃとして形成してある。本実施例の谷部５ｄは、巾寸法Ｗを７ｍｍ、深さ寸法Ｈを２ｍｍとしてあり（図１参照）、図４に示すように、後軸５に形成した谷部５ｄの位置にてキャップ７の側面７ａを摘むことで、図５に示すようにキャップ７を簡単に取り外すことができた。
【産業上の利用可能性】
【００１３】
本発明のノック式シャープペンシル構造は、シャープペンシルに限らず、ボールペンやマーカーなどでも軸筒の後端に配したキャップを取り外す必要のある筆記具の構造に適用することが可能である。
【符号の説明】
【００１４】
１…シャープペンシル、２…軸筒、３…金輪、
４…前軸、４ａ…先端開口部、
５…後軸、５ａ…クリップ、５ｂ…後端開口部、５ｃ…後端面、
５ｄ…谷部、５ｅ…山部、
６…鉛芯繰出機構、６ａ…筆記先端部、
７…キャップ、
８…消しゴム、
Ｗ…巾寸法、Ｈ…深さ寸法。
【図１】
2011230357.tif 000003
【図２】
2011230357.tif 000004
【図３】
2011230357.tif 000005
【図４】
2011230357.tif 000006
【図５】
2011230357.tif 000007